(57)【要約】【課題】製造コストの上昇を抑えつつ、同軸ケーブルの結線異常を高い精度で検出すること。【解決手段】アンテナにより内部導体１１ａと外部導体１１ｂとが直流的に接続された同軸ケーブル１１の内部導体１１ａに電源供給を行うＤＣ電源１３と、同軸ケーブル１１の外部導体１１ｂに接続され、当該外部導体１１ｂの電圧値を判定する電圧判定部１７と、外部導体１１ｂとグラウンドとの間に接続されたＦＥＴ１２と、を具備し、同軸ケーブル１１の結線異常を検出する場合、ＦＥＴ１２により外部導体１１ｂとグラウンドとの接続をオフすると共にＤＣ電源１３から電源供給を行うことを特徴とする。【選択図】図１
2007303862.tif 000002
【特許請求の範囲】
【請求項１】
アンテナにより内部導体と外部導体が直流的に接続された同軸ケーブルの内部導体に電源供給を行う電源供給部と、前記同軸ケーブルの外部導体に接続され当該外部導体の電圧値を判定する電圧判定部と、前記外部導体とグラウンドとの間に接続されたスイッチング素子と、を具備し、前記同軸ケーブルの結線異常を検出する場合、前記スイッチング素子により前記外部導体とグラウンドとの接続をオフすると共に前記電源供給部から電源供給を行うことを特徴とする同軸ケーブルの結線異常検出装置。
【請求項２】
前記アンテナを介してＲＦ信号を送受信する場合、前記スイッチング素子により前記外部導体とグラウンドとを接続することを特徴とする請求項１記載の同軸ケーブルの結線異常検出装置。
【請求項３】
前記電源供給部は、第１の高周波制限素子を介して前記内部導体に接続される一方、前記電圧判定部は、第２の高周波制限素子を介して前記外部導体に接続されることを特徴とする請求項１又は請求項２記載の同軸ケーブルの結線異常検出装置。
【請求項４】
前記外部導体とグラウンドとの間に接続された抵抗及び第２のスイッチング素子から成る直列回路を具備すると共に、前記抵抗の前記外部導体側の端部に前記電圧判定部を接続し、前記スイッチング素子によって前記外部導体とグラウンドとの接続をオフする一方、前記第２のスイッチング素子により前記抵抗とグラウンドとを接続することを特徴とする請求項１から請求項３のいずれかに記載の同軸ケーブルの結線異常検出装置。
【請求項５】
前記電圧判定部は、前記外部導体の電圧値を、前記同軸ケーブルに結線異常がない場合に得られる前記外部導体の基準電圧値と比較することにより前記同軸ケーブルの断線又は短絡を検出することを特徴とする請求項１から請求項４のいずれかに記載の同軸ケーブルの結線異常検出装置。
【発明の詳細な説明】
【技術分野】
【０００１】
本発明は、同軸ケーブルにおける結線異常を検出する結線異常検出装置に関し、特に、自動車等に用いられるタイヤの状態を監視するためのタイヤ状態監視装置に適用される同軸ケーブルにおける結線異常を検出する結線異常検出装置に関する。
【背景技術】
【０００２】
従来、自動車等に用いられる無線通信装置は多種あるが、例えばタイヤの状態を車両内で確認するために、無線方式のタイヤ状態監視装置が提案されている（例えば、特許文献１参照）。かかるタイヤ状態監視装置においては、各タイヤに装着される複数の送信機と、車両本体に配設される受信機とを備えている。受信機は、それぞれの送信機に対応する受信アンテナを備えている。これらの受信機と受信アンテナとの間は、ノイズの影響を低減すべく、同軸ケーブルを用いて接続されている。
【０００３】
一方、同軸ケーブルを用いて車両内における情報通信を行う場合において、断線及びショートなどの同軸ケーブルにおける結線異常を検知し、運転者等に報知するシステムが提案されている（例えば、特許文献２参照）。かかるシステムにおいては、プリント基板の内層を利用した方向性結合器を用いてアンテナ素子からの反射波を取り出し、当該反射波の電圧値に応じて同軸ケーブルの結線異常を検知する。
【特許文献１】特開２００３−１６５３１３号公報
【特許文献２】特開２００４−１９２５１２号公報
【発明の開示】
【発明が解決しようとする課題】
【０００４】
しかしながら、上述したような従来のシステムにおいては、方向性結合器を用いるため、システムに要する製造コストが上昇するという問題がある。また、この方向性結合器で反射波を検知する際にはシステムによってバラつきが生じ易く、高い精度で同軸ケーブルの結線異常を検知することが困難になるという問題がある。
【０００５】
本発明はかかる問題点に鑑みてなされたものであり、製造コストの上昇を抑えつつ、同軸ケーブルの結線異常を高い精度で検出することができる同軸ケーブルの結線異常検出装置を提供することを目的とする。
【課題を解決するための手段】
【０００６】
本発明の同軸ケーブルの結線異常検出装置は、アンテナにより内部導体と外部導体が直流的に接続された同軸ケーブルの内部導体に電源供給を行う電源供給部と、前記同軸ケーブルの外部導体に接続され当該外部導体の電圧値を判定する電圧判定部と、前記外部導体とグラウンドとの間に接続されたスイッチング素子と、を具備し、前記同軸ケーブルの結線異常を検出する場合、前記スイッチング素子により前記外部導体とグラウンドとの接続をオフすると共に前記電源供給部から電源供給を行うことを特徴とする。
【０００７】
この構成によれば、スイッチング素子により外部導体とグラウンドとの接続をオフすると共に電源供給部から電源供給を行うことから、電源供給部からの電圧と略同一の電圧が、外部導体を介して電圧判定部に入力される。このとき、同軸ケーブルに結線異常があれば、電圧判定部による判定結果に影響を与えるため、電圧判定部で外部導体の電圧値を判定することにより、同軸ケーブルの結線異常を検出することが可能となる。特に、従来のシステムのように、方向性結合器等のデバイスを利用しないため、装置の製造コストの上昇を抑えることが可能となると共に、外部導体の電圧値に応じて結線異常を検出するため、高い精度で同軸ケーブルの結線異常を検出することが可能となる。
【０００８】
上記同軸ケーブルの結線異常検出装置において、前記アンテナを介してＲＦ信号を送受信する場合、前記スイッチング素子により前記外部導体とグラウンドとを接続するようにしても良い。この場合には、スイッチング素子により外部導体とグラウンドとを接続することから、外部導体にかかる余計な電圧がスイッチング素子を介してグラウンドに放出されるため、適切にＲＦ信号の送受信を行うことが可能となる。
【０００９】
特に、上記同軸ケーブルの結線異常検出装置において、前記電源供給部は、第１の高周波制限素子を介して前記内部導体に接続される一方、前記電圧判定部は、第２の高周波制限素子を介して前記外部導体に接続されることが好ましい。この場合には、ＲＦ信号が電源供給部側の信号線等に入り込むのが防止されるため、当該ＲＦ信号が装置の動作に与える悪影響を低減することが可能となる。
【００１０】
また、上記同軸ケーブルの結線異常検出装置において、前記外部導体とグラウンドとの間に接続された抵抗及び第２のスイッチング素子から成る直列回路を具備すると共に、前記抵抗の前記外部導体側の端部に前記電圧判定部を接続し、前記スイッチング素子によって前記外部導体とグラウンドとの接続をオフする一方、前記第２のスイッチング素子により前記抵抗とグラウンドとを接続するようにしても良い。この場合には、同軸ケーブルの結線異常を検出する場合には、電圧判定部に同軸ケーブルの抵抗値及び抵抗の抵抗値に応じた電圧が入力される。このとき、同軸ケーブルに結線異常があれば、電圧判定部による判定結果に影響を与えるため、例えば、電圧判定部で同軸ケーブルに結線異常がない場合の電圧値と比較することにより、同軸ケーブルの結線異常を検出することが可能となる。
【００１１】
なお、上記同軸ケーブルの結線異常検出装置において、前記電圧判定部は、前記外部導体の電圧値を、前記同軸ケーブルに結線異常がない場合に得られる前記外部導体の基準電圧値と比較することにより前記同軸ケーブルの断線又は短絡を検出することが好ましい。この場合には、電圧判定部による簡単な比較処理により同軸テーブルの断線又は短絡を高い精度で検出することが可能となる。
【発明の効果】
【００１２】
本発明によれば、製造コストの上昇を抑えつつ、同軸ケーブルの結線異常を高い精度で検出することが可能となる。
【発明を実施するための最良の形態】
【００１３】
以下、本発明の一実施の形態について添付図面を参照して詳細に説明する。なお、以下においては、本実施の形態に係る同軸ケーブルの結線異常検出装置（以下、単に「結線異常検出装置」という）が、自動車等のタイヤに装着された送信機と無線通信を行う受信機と、各送信機に対応する受信アンテナとを接続する同軸ケーブルに適用される場合について説明するものとする。
【００１４】
（実施の形態１）
図１は、本発明の実施の形態１に係る結線異常検出装置の回路構成例を示す図である。実施の形態１に係る結線異常検出装置は、同軸ケーブルの断線による結線異常を検出するものである。なお、図１においては、説明の便宜上、同軸ケーブルの一部のみを示すものとする。また、同軸ケーブルにおいては、内部導体（以下、適宜「芯線」という）及び外部導体（以下、適宜「アース線」という）のみを表示するものとし、その他の構成については省略するものとする。
【００１５】
図１に示すように、本実施の形態に係る結線異常検出装置は、一端が受信アンテナ１０の入出力端に接続されると共に他端が受信機に接続された同軸ケーブル１１を結線異常の検出対象とする。同軸ケーブル１１は、ＲＦ（Radio Frequency）信号の送受信に用いられる芯線１１ａと、芯線１１ａを伝わる電波（ＲＦ信号）を外部に漏洩させず、且つ、外部からのノイズを遮蔽する機能、所謂、アース機能を有するアース線１１ｂとを有している。受信アンテナ１０は、このような芯線１１ａ及びアース線１１ｂの双方に接続され、ＲＦ信号の送受信を可能とすると共に、アース線１１ｂを介して接地されている。
【００１６】
アース線１１ｂは、スイッチング素子を構成するＭＯＳ  ＦＥＴ（以下、単に「ＦＥＴ」という）１２を介してグラウンドに接続されている。ＦＥＴ１２においては、ソース電極がアース線１１ｂに接続され、ドレイン電極がグラウンドに接続され、ゲート電極が受信機の制御部に接続されている。受信機の制御部から出力された制御信号がゲート電極に入力されることで、ＦＥＴ１２のオン／オフが制御される。これにより、同軸ケーブル１１（アース線１１ｂ）の接地／非接地が切り替えられる。
【００１７】
一方、同軸ケーブル１１の芯線１１ａに、高周波制限素子を構成するＲＦＣ（Radio Frequency Choke coil）１４を介して電源供給部を構成するＤＣ電源１３が接続されている。ＤＣ電源１３のオン／オフは、受信機の制御部により制御可能とされている。本実施の形態の場合は、ＤＣ電源１３は、制御部を構成するマイコンの出力として構成されている。後述するように、同軸ケーブル１０の結線異常を判定する際にはＤＣ電源１３がオンされる一方、ＲＦ信号を通信する場合にはＤＣ電源１３がオフされる。なお、ＲＦＣ１４は、回路間における不要な結合を防止するための直列インダクタである。特に、芯線１１ａを通るＲＦ信号がＤＣ電源１３側の信号線に入り込むのを防止する。ＤＣ電源１３とＲＦＣ１４との中間点には、コンデンサ１５の一方の電極が接続され、他方の電極がグラウンドに接続されている。
【００１８】
また、同軸ケーブル１１のアース線１１ｂに、ＲＦＣ１６を介して電圧判定部１７が接続されている。電圧判定部１７は、アース線１１ｂの電圧値を判定し、当該電圧値に応じて同軸ケーブル１１の結線異常（断線）を判定する。なお、電圧判定部１７による判定については後述する。なお、ＲＦＣ１６は、上述のＲＦＣ１４と同様に、回路間における不要な結合を防止するための直列インダクタである。特に、芯線１１ａを通るＲＦ信号が電圧判定部１７側の信号線に入り込むのを防止する。
【００１９】
以下、上記回路構成を有する実施の形態１に係る結線異常検出装置において、ＲＦ信号を通信する際の動作、並びに、同軸ケーブル１１の結線異常を検出する際の動作について説明する。
【００２０】
ＲＦ信号を通信する場合、結線異常検出装置においては、受信機の制御部からＦＥＴ１２をオンする制御信号が入力されると共に、受信機によりＤＣ電源１３がオフされる。これにより、ＦＥＴ１２がオン状態とされ、同軸ケーブル１０（アース線１１ｂ）が接地された状態となる。また、ＲＦＣ１４及びＲＦＣ１６により、ＲＦ信号がＤＣ電源１３側及び電圧判定部１７側の信号線に入り込むのは防止されている。このため、受信機は、タイヤ側に装着された送信機との間でＲＦ信号を適切に通信することが可能となる。
【００２１】
一方、同軸ケーブル１０の結線異常を検出する場合、結線異常検出装置においては、受信機の制御部からＦＥＴ１２をオフする制御信号が入力されると共に、受信機の制御部によりＤＣ電源１３がオンされる。このとき、ＲＦ信号の通信は行わない。これにより、ＦＥＴ１２がオフ状態とされ、同軸ケーブル１１（アース線１１ｂ）が非接地の状態となる。
【００２２】
この場合において、同軸ケーブル１１が断線していなければ、ＤＣ電源１３からの電圧は、芯線１１ａ及び受信アンテナ１０を介してアース線１１ｂに入力される。すなわち、受信アンテナ１０は、回路上の負荷を構成することとなる。ＦＥＴ１２がオフ状態とされていることから、アース線１１ｂに入力された電圧は、ＲＦＣ１６を介して電圧判定部１７に入力される。このとき、電圧判定部１７に入力される電圧（以下、適宜「ＶＩＮ」という）は、ＤＣ電源１３が供給する電圧（以下、適宜「ＶＣＣ」という）と略同一の電圧値となる。
【００２３】
一方、同軸ケーブル１１が断線している場合には、ＤＣ電源１３からの電圧は、同軸ケーブル１１を構成する芯線１１ａ又はアース線１１ｂのいずれが断線していても、電圧判定部１７に電圧が入力されることはない。実施の形態１に係る結線異常検出装置においては、かかる電圧判定部１７に入力される電圧を判断することで同軸ケーブル１１の結線異常（断線）を検出する。例えば、同軸ケーブル１１が断線していない場合の電圧値を保持しておき、それと比較することで結線異常を検出することは実施の形態として好ましい。また、入力される電圧の有無に応じて結線異常（断線）を検出するようにしても良い。
【００２４】
また、同軸ケーブル１１がショートしている場合には、ショートしていない場合に比べて、電圧判定部１７に入力される電圧はやや大きくなるので、この電圧を測定することによりショートを概略判断することも可能である。
【００２５】
このように実施の形態１に係る同軸ケーブルの結線異常検出装置においては、受信アンテナ１０により内部導体１１ａと外部導体１１ｂとが直流的に接続された同軸ケーブル１１の内部導体１１ａに電源供給を行うＤＣ電源１３と、同軸ケーブル１１の外部導体１１ｂに接続され当該外部導体１１ｂの電圧値を判定する電圧判定部１７と、外部導体１１ｂとグラウンドとの間に接続されたＦＥＴ１２と、を具備し、同軸ケーブル１１の結線異常を検出する場合、ＦＥＴ１２により外部導体１１ｂとグラウンドとの接続をオフすると共にＤＣ電源１３から電源供給を行う。
【００２６】
実施の形態１に係る同軸ケーブルの結線異常検出装置によれば、ＦＥＴ１２により外部導体１１ｂとグラウンドとの接続をオフすると共にＤＣ電源１３により電源供給を行うことから、ＤＣ電源１３からの電圧と略同一の電圧が、外部導体１１ｂを介して電圧判定部１７に入力される。このとき、同軸ケーブル１１に結線異常があれば、電圧判定部１７による判定結果に影響を与えるため、電圧判定部１７で外部導体１１ｂの電圧値を判定することにより、同軸ケーブル１１の結線異常を検出することが可能となる。特に、実施の形態１に係る同軸ケーブルの結線異常検出装置においては、従来のシステムのように、方向性結合器等のデバイスを利用しないため、装置の製造コストの上昇を抑えることが可能となると共に、外部導体１１ｂの電圧値に応じて結線異常を検出するため、高い精度で同軸ケーブルの結線異常を検出することが可能となる。
【００２７】
また、実施の形態１に係る同軸ケーブルの結線異常検出装置においては、受信アンテナ１０を介してＲＦ信号を送受信する場合、ＦＥＴ１２により外部導体１１ｂとグラウンドとを接続する。これにより、受信アンテナ１０を介してＲＦ信号を送受信する場合には、外部導体１１ｂにかかる余計な電圧がＦＥＴ１２を介してグラウンドに放出されるため、適切にＲＦ信号の送受信を行うことが可能となる。
【００２８】
さらに、実施の形態１に係る同軸ケーブルの結線異常検出装置において、ＤＣ電源１３は、ＲＦＣ１４を介して内部導体１１ａに接続される一方、電圧判定部１７は、ＲＦＣ１６を介して外部導体１１ｂに接続されている。これにより、ＲＦ信号がＤＣ電源１３側の信号線等に入り込むのが防止されるため、当該ＲＦ信号に応じて装置が誤動作する事態を防止することが可能となる。
【００２９】
（実施の形態２）
実施の形態２に係る結線異常検出装置は、同軸ケーブルの断線及び短絡（ショート）による結線異常を検出する点で、同軸ケーブルの断線による結線異常を検出する実施の形態１に係る結線異常検出装置と相違する。図２は、実施の形態２に係る結線異常検出装置の回路構成例を示す図である。なお、図２において、図１と同様の構成については同一の符号を付し、その説明を省略するものとする。
【００３０】
図２に示す結線異常検出装置においては、同軸ケーブル１１のアース線１１ｂに、ＲＦＣ１６の一端が接続されると共に、このＲＦＣ１６の他端に抵抗１８の一端が接続されている。これらのＲＦＣ１６と抵抗１８との中間点において、電圧判定部１７が接続されている。抵抗１８の他端は、第２のスイッチング素子を構成するＦＥＴ１９を介してグラウンドに接続されている。ＦＥＴ１９においては、ソース電極が抵抗１８の一端に接続され、ドレイン電極がグラウンドに接続され、ゲート電極が受信機の制御部に接続されるインバータ２０の出力端に接続されている。受信機の制御部から出力された制御信号がＦＥＴ１２及びＦＥＴ１９のゲート電極にそれぞれ入力されることで、ＦＥＴ１２がオン状態とされるとＦＥＴ１９がオフ状態とされる一方、ＦＥＴ１２がオフ状態とされるとＦＥＴ１９がオン状態とされる。
【００３１】
以下、上記回路構成を有する実施の形態２に係る結線異常検出装置において、ＲＦ信号を通信する際の動作、並びに、結線異常を検出する際の動作について説明する。以下においては、説明の便宜上、ＦＥＴ１２を第１ＦＥＴ１２と呼ぶものとし、ＦＥＴ１９を第２ＦＥＴ１９と呼ぶものとする。
【００３２】
ＲＦ信号を通信する場合、結線異常検出装置においては、受信機の制御部から第１ＦＥＴ１２（第２ＦＥＴ１９）をオン（オフ）する制御信号が入力されると共に、受信機の制御部によりＤＣ電源１３がオフされる。これにより、第１ＦＥＴ１２がオン状態とされると共に第２ＦＥＴ１９がオフ状態とされ、同軸ケーブル１１（アース線１１ｂ）が接地された状態となる。また、ＲＦＣ１４及びＲＦＣ１６によりＲＦ信号が、ＤＣ電源１３側及び電圧判定部１７側の信号線に入り込むのは防止されている。このため、受信機は、タイヤ側に装着された送信機との間でＲＦ信号を適切に通信することが可能となる。
【００３３】
一方、同軸ケーブル１１の結線異常を検出する場合、結線異常検出装置においては、受信機の制御部から第１ＦＥＴ１２（第２ＦＥＴ１９）をオフ（オン）する制御信号が入力されると共に、受信機の制御部によりＤＣ電源１３がオンされる。このとき、ＲＦ信号の通信は行わない。これにより、第１ＦＥＴ１２がオフ状態とされると共に第２ＦＥＴ１９がオン状態とされ、同軸ケーブル１１（アース線１１ｂ）がＲＦＣ１６、抵抗１８及び第２ＦＥＴ１９を介して接地された状態となる。
【００３４】
この場合において、同軸ケーブル１１に結線異常がなければ、ＤＣ電源１３からの電圧は、芯線１１ａ及び受信アンテナ１０を介してアース線１１ｂに入力される。すなわち、受信アンテナ１０は、実施の形態１と同様に、回路上の負荷を構成する。ＦＥＴ１２がオフ状態とされると共にＦＥＴ１９がオン状態とされていることから、アース線１１ｂに入力された電圧は、同軸ケーブル１１が有する抵抗値Ｒ１と、抵抗１８が有する抵抗値Ｒ２とから算出される電圧となって電圧判定部１７に入力される。
【００３５】
すなわち、電圧判定部１７には、
ＶＩＮ＝（Ｒ２／Ｒ１＋Ｒ２）ＶＣＣ
により算出される電圧が入力される。なお、以下においては、同軸ケーブル１１に結線異常がない場合に電圧判定部１７に入力される電圧を「基準電圧」と呼ぶものとする。実施の形態２に係る結線異常検出装置においては、当該基準電圧と、電圧判定部１７に入力される電圧とを比較することにより、同軸ケーブル１１の結線異常を検出する。
【００３６】
例えば、同軸ケーブル１１が断線している場合には、同軸ケーブル１１が有する抵抗値Ｒ１が無限大となる。このため、上述の式により電圧判定部１７には電圧が入力されることはない。実施の形態２に係る結線異常検出装置においては、かかる電圧判定部１７に入力される電圧を、基準電圧と比較することで同軸ケーブル１１の結線異常（断線）を検出する。
【００３７】
一方、同軸ケーブル１１が短絡している場合には、同軸ケーブル１１が有する抵抗値Ｒ１が低下する。このため、上述の式により電圧判定部１７には、上記基準電圧よりも高い電圧が入力されることとなる。実施の形態２に係る結線異常検出装置においては、かかる電圧判定部１７に入力される電圧を、上記基準電圧と比較することで同軸ケーブル１１の結線異常（短絡）を検出する。
【００３８】
このように実施の形態２に係る同軸ケーブルの結線異常検出装置においては、実施の形態１に係る結線異常検出装置の構成に加え、外部導体１１ｂとグラウンドとの間に接続された抵抗１８及び第２ＦＥＴ１９から成る直列回路を具備すると共に、抵抗１８の外部導体１１ｂ側の端部に電圧判定部１７を接続する。そして、第１ＦＥＴ１２によって外部導体１１ｂとグラウンドとの接続をオフする一方、第２ＦＥＴ１９により抵抗１８とグラウンドとを接続する。
【００３９】
実施の形態２に係る同軸ケーブルの結線異常検出装置によれば、同軸ケーブル１１の結線異常を検出する場合には、電圧判定部１７に同軸ケーブル１１が有する抵抗値Ｒ１及び抵抗１８が有する抵抗値Ｒ２に応じた電圧が入力される。このとき、同軸ケーブル１１に結線異常があれば、電圧判定部１７による判定結果に影響を与えるため、例えば、電圧判定部１７で同軸ケーブル１１に結線異常がない場合の電圧値（基準電圧）と比較することにより、同軸ケーブル１１の結線異常を検出することが可能となる。
【００４０】
特に、実施の形態２に係る同軸ケーブルの結線異常検出装置において、電圧判定部１７は、外部導体１１ｂの電圧値を、同軸ケーブル１１に結線異常がない場合に得られる外部導体１１ｂの基準電圧と比較することにより同軸ケーブル１１の断線又は短絡を検出する。これにより、電圧判定部１７による簡単な比較処理により同軸テーブル１１の断線又は短絡を高い精度で検出することが可能となる。
【００４１】
（実施の形態３）
実施の形態３に係る結線異常検出装置は、同軸ケーブルの断線による結線異常を検出する点で、実施の形態１に類似するが、短絡（ショート）についても効果的に検出可能である点が相違する。図３は、実施の形態３に係る結線異常検出装置の回路構成例を示す図である。なお、図３において、図１と同様の構成については同一の符号を付し、その説明を省略するものとする。
【００４２】
図３に示す結線異常検出装置においては、同軸ケーブル１１のアース線１１ｂに、ＲＦＣ１６の一端、ＦＥＴ１２のソース電極が接続されると共に、抵抗２１の一端が接続されている。抵抗２１の他端はグラウンドに接続されている。抵抗２１は十分低い抵抗値を有している。
【００４３】
また、ＤＣ電源供給部は、ＤＣ電源１３´とＦＥＴ２２及びダイオード２３からなる。ＦＥＴ２２のソース電極はＤＣ電源１３´に接続され、ドレーン電極はＲＦＣ１４の一端に接続され、ベース電極はダイオード２３を介して制御部Ｂに接続されている。ＤＣ電源１３´は、実施の形態１とは異なり、制御部を介しない電源であり、制御部Ｂの制御によるＦＥＴ２２のオンオフにより芯線１１ａへの電源供給が制御される。
【００４４】
同軸ケーブルの断線の検出については、実施の形態１とほぼ同じであるので、説明を省略する。同軸ケーブルの短絡（ショート）の検出の場合は、実施の形態２と同じように、同軸ケーブル１１が有する抵抗値Ｒ１が低下し、このため、抵抗２１の抵抗Ｒ２との分圧との関係において、電圧判定部１７により短絡が検出される。
【００４５】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４６】
例えば、上記実施の形態においては、結線異常検出装置が、自動車等のタイヤに装着された送信機と無線通信を行う受信機と、各送信機に対応する受信アンテナとを接続する同軸ケーブルに適用される場合について説明している。しかし、本発明の結線異常検出装置は、これに限定されるものではなく、同軸ケーブルの結線異常を検出する必要がある装置であれば、いかなる装置にも適用することが可能である。
【００４７】
また、上記実施の形態においては、結線異常検出装置の一部の構成要素（ＤＣ電源１３、電圧判定部１７）を、車両本体に配設される受信機から独立して構成する場合について説明している。しかし、本発明の結線異常検出装置は、これに限定されるものではなく、これらの構成要素の機能を上記受信機に持たせるようにしても良い。このように変更した場合においても、上記実施の形態と同様の効果を得ることが可能である。
【００４８】
さらに、上記実施の形態においては、スイッチング素子としてＦＥＴ１２（ＦＥＴ１９）を用いる場合について示している。しかし、これに限定されるものではなく、適宜変更が可能である。例えば、ＦＥＴの代わりに、トランジスタやダイオードなどを適用することが可能である。この場合にも、上記実施の形態と同様の効果を得ることが可能である。
【図面の簡単な説明】
【００４９】
【図１】本発明の実施の形態１に係る同軸ケーブルの結線異常検出装置の回路構成例を示す図である。
【図２】本発明の実施の形態２に係る同軸ケーブルの結線異常検出装置の回路構成例を示す図である。
【図３】本発明の実施の形態３に係る同軸ケーブルの結線異常検出装置の回路構成例を示す図である。
【符号の説明】
【００５０】
１０  受信アンテナ(アンテナ)
１１  同軸ケーブル
１１ａ  内部導体（芯線）
１１ｂ  外部導体（アース線）
１２  ＦＥＴ（第１ＦＥＴ）
１３  ＤＣ電源(電源供給部)
１４、１６  ＲＦＣ
１７  電圧判定部
１８、２１  抵抗
１９  ＦＥＴ（第２ＦＥＴ）
２０  インバータ
【図１】
2007303862.tif 000003
【図２】
2007303862.tif 000004
【図３】
2007303862.tif 000005